(57)【要約】【課題】  デジタルテレビジョン受像機において必須の機能部であるチューナ部の動作に関連した消費電力を低減し、通常ＡＧＣモードにおける省電力に係る副次的効果を超えて徹底した省電力化を図ったデジタルテレビジョン受像機を提供する。【解決手段】  デジタルテレビ特有のＣ／Ｎ検出出力（１２５）によりコントローラ（１３０）とゲイン制御電圧信号発生部（１１０）とによって形成されるゲイン制御電圧信号ＧＣ−２に基づきチューナ部（１０２）のゲインを制御する。受信レベル検出信号（１２４）に基づいてチューナ部（１０２）のゲインを制御する通常のゲイン調節におけるよりも低い値にゲインを調節することが可能となり、チューナ部（１０２）並びにその後段の関連する回路部における動作電圧は相対的に低く抑制される。【選択図】  図４
2007104164.tif 000002
【特許請求の範囲】
【請求項１】
入力された受信信号に係る選局処理を行うと共に自己に供給されたゲイン制御電圧信号に応じてゲインが可変であるチューナ部と、前記チューナ部の後段側で当該選局処理された受信信号に係る復調処理を行う復調処理部と、前記復調処理部の復調出力にエラー訂正処理を施すエラー訂正部と、を備えたデジタルテレビジョン受像機であって、前記復調処理部からＣ／Ｎ（搬送波電力対雑音電力比）を検出するＣ／Ｎ検出部と、自己に供給された所定の信号に依拠して前記チューナ部に供給する当該ゲイン制御電圧信号を形成するゲイン制御電圧信号発生部と、前記Ｃ／Ｎ検出部のＣ／Ｎ検出出力に基づいて前記ゲイン制御電圧信号発生部がゲイン制御電圧信号を形成するに依拠する前記所定の信号を生成し前記ゲイン制御電圧信号発生部に供給するコントローラと、を備えたことを特徴とするデジタルテレビジョン受像機。
【請求項２】
前記チューナ部の後段に、前記ゲイン制御電圧信号発生部によるものとは別途に前記チューナ部のゲインを調節するためのＡＧＣ部および受信レベル検出部を設け、前記受信レベル検出部は前記ＡＧＣ部から受信レベルを表す受信レベル検出信号を得て前記チューナ部に当該ゲインを調節するための信号として供給し、前記チューナ部は、前記Ｃ／Ｎ検出部のＣ／Ｎ検出出力の値が所定水準を維持しているときには前記Ｃ／Ｎ検出出力に基づいて前記ゲイン制御電圧信号発生部で形成されるゲイン制御電圧信号に基づいて自己のゲインを調節するＣ／ＮベースＡＧＣモードで動作し、前記Ｃ／Ｎ検出部のＣ／Ｎ検出出力の値が所定水準を維持していないときには前記受信レベル検出部による受信レベル検出信号に基づいて自己のゲインを調節する通常ＡＧＣモードで動作することを特徴とする請求項１に記載のデジタルテレビジョン受像機。
【請求項３】
前記チューナ部の後段に、前記ゲイン制御電圧信号発生部によるものとは別途に前記チューナ部のゲインを調節するためのＡＧＣ部および受信レベル検出部を設け、前記受信レベル検出部は前記ＡＧＣ部から受信レベルを表す受信レベル検出信号を得て前記チューナ部に当該ゲインを調節するための信号として供給し、前記チューナ部は、当初は前記受信レベル検出部による受信レベル検出信号に基づいて自己のゲインを調節する通常ＡＧＣモードで動作し、前記コントローラは該通常ＡＧＣモードにおける受信レベル検出信号の値を保持し、該保持した時点での前記Ｃ／Ｎ検出部のＣ／Ｎ検出出力の値が所定水準を維持しているときには、該保持された受信レベル検出信号の値に相当するゲイン制御電圧信号が出力されるように前記ゲイン制御電圧信号発生部に前記所定の信号を供給してゲイン制御電圧信号の値を調整し、該調整後、前記チューナ部は、前記Ｃ／Ｎ検出出力に基づいて前記ゲイン制御電圧信号発生部で形成されるゲイン制御電圧信号に基づいて自己のゲインを調節するＣ／ＮベースＡＧＣモードでの動作に移行することを特徴とする請求項１に記載のデジタルテレビジョン受像機。
【請求項４】
前記チューナ部の後段に、前記ゲイン制御電圧信号発生部によるものとは別途に前記チューナ部のゲインを調節するためのＡＧＣ部および受信レベル検出部を設け、且つ、前記エラー訂正部からＢＥＲ値を検出するＢＥＲ検出部を設け、前記受信レベル検出部は前記ＡＧＣ部から受信レベルを表す受信レベル検出信号を得て前記チューナ部に当該ゲインを調節するための信号として供給し、前記チューナ部は、当初は前記受信レベル検出部による受信レベル検出信号に基づいて自己のゲインを調節する通常ＡＧＣモードで動作し、前記コントローラは該通常ＡＧＣモードにおける受信レベル検出信号の値を保持し、該保持した時点での前記ＢＥＲ検出部の検出出力であるＢＥＲ値が所定水準を維持しているときには、該保持された値に相当するゲイン制御電圧信号が出力されるように前記ゲイン制御電圧信号発生部に前記所定の信号を供給してゲイン制御電圧信号の値を調整し、該調整後、前記チューナ部は、前記Ｃ／Ｎ検出出力に基づいて前記ゲイン制御電圧信号発生部で形成されるゲイン制御電圧信号に基づいて自己のゲインを調節するＣ／ＮベースＡＧＣモードでの動作に移行することを特徴とする請求項１に記載のデジタルテレビジョン受像機。
【発明の詳細な説明】
【技術分野】
【０００１】
本発明は、チューナ部のゲインを調節する機能を備えたデジタルテレビジョン受像機に関し、特に、表示される映像の品位を維持しつつチューナ部のゲインを低減して省電力化を図ったデジタルテレビジョン受像機に関する。
【背景技術】
【０００２】
近年、デジタルテレビジョン受像機についても省電力化が一段と進化しつつある。特に昨今では、表示される映像の品位の維持を優先的に考えつつも、省電力化を徹底することが要請されている。デジタルテレビジョン受像機における省電力化の要請に応えるための技術は既に種々提案されている。
例えば、デジタルテレビジョン受像機が放送を受信中、映像と音声を提示するためにＣＰＵがトランスポートストリーム分離部に、プログラム関連テーブル（ＰＡＴ）およびプログラム・マップ・テーブル（ＰＭＴ）の取得命令を出力するとともに所定時間の計時を開始せしめ、ＰＡＴあるいはＰＭＴを取得できなくなったときに、アンテナレベルと番組スケジュールを用いて、放送休止中を判定し、放送休止中と判定した後、ある一定時間の間、ユーザが操作を行わなかった場合には、表示部の電源を切ったり、当該デジタルテレビジョン受像機を省電力モードにすることにより、電源の切り忘れ等に対して、無駄な電力消費の機会を低減しようとする技術が提案されている（例えば、特許文献１参照）。
【０００３】
また一方、受信信号に対するゲインを調節するＡＧＣといったような既に広く実施されている技術も、本来は信号レベルの適正化を図るためのものではあるが、視点を変えて見れば、該当する回路部における消費電力を低減するといった効果を生む技術でもある。
図７はＡＧＣ部を備えた一般的な家庭用のデジタルテレビジョン受像機の構成を表すブロック図である。受信用のアンテナ１０１がチューナ部１０２に接続され、チューナ部１０２部で所定の選局処理が行われた出力信号（ＩＦ出力）に対して一点鎖線で図示のＯＦＤＭ復調部１２０でＯＦＤＭ復調処理が施され、その復調出力としてのトランスポートストリーム（ＴＳ）が生成され出力される。
【０００４】
トランスポートストリーム（ＴＳ）が供給される図示しない映像処理部でこのトランスポートストリーム（ＴＳ）に基づいて表示に適合する信号が形成され、該形成された信号に基づいて図示しない表示器に映像が表示される。
上述のＯＦＤＭ復調部１２０は、チューナ部１０２の後段にあってこのチューナ部１０２の出力信号（ＩＦ出力）に基づいてチューナ部１０２のゲインを調節するためのＡＧＣ信号を生成するＡＧＣ部１２１、ＡＧＣ部１２１の後段（従って、チューナ部１０２の後段側）にあって当該選局処理された受信信号に係る復調処理を行う復調処理部１２２、復調処理部１２２の復調出力にエラー訂正処理を施すエラー訂正部１２３、ＡＧＣ部１２１から受信レベルを表す受信レベル検出信号を得る受信レベル検出部１２４、復調処理部１２２からＣ／Ｎ（搬送波電力対雑音電力比）を検出するＣ／Ｎ検出部１２５、および、エラー訂正部１２３からＢＥＲ値を検出するＢＥＲ検出部１２６を含んで構成されている。
【０００５】
受信レベル、従って、チューナ部１０２の出力信号（ＩＦ出力）レベルに応じて、チューナ部１０２のゲインに対して負帰還（ＡＧＣ）がかかるため、チューナ部１０２の出力信号レベルが徒に増大してしまうことが抑制されるため、チューナ部並びにその後段の関連する回路部における動作電圧は所定レベルを超えないように抑制されることとなり、この結果、デジタルテレビジョン受像機全体としても消費電力を或る程度低減することができる。
【特許文献１】特開２００２−３００４９０号公報（段落００２０〜段落００３６、図３、図４）
【発明の開示】
【発明が解決しようとする課題】
【０００６】
上述した既提案のデジタルテレビジョン受像機では、電源の切り忘れ等、本来的に不作動にすべきときに表示部をオフにしたり所謂待機状態に移行するなどして省電力を図ろうとするものである。他方、映像を表示部に映出する通常の使用状態においても極限まで省電力が図られるためには、チューナ等の必須の機能部を含む個々の回路部において省電力化が達成されることを要するが、この提案ではそのための技術については視点が向けられていない。
【０００７】
また一方、図７のような既存のデジタルテレビジョン受像機におけるＡＧＣにおいても多少の省電力化の効果を生むものであるが、その効果は副次的なものであって、本来的に省電力化を目指すといった見地からは未だ改良の余地を残すものである。
図８は、図７のデジタルテレビジョン受像機における入力レベルとＣ／Ｎとの関係を表す特性図である。この特性は、日本国での地上波放送における変調方式であるＩＳＢ−Ｔ（Integrated Services Digital Broadcasting−Terrestrial transmission）におけるものであり、図示のように、入力レベルが一定値以上の領域では、入力レベルに対してＣ／Ｎ値は比較的緩慢に変化する。これはＡＧＣ部による負帰還によって、チューナのゲインが抑制されるからである。特性曲線から判読される通り、入力レベルが−３０ｄＢｍ のときＣ／Ｎは２８ｄＢ程度である。
【０００８】
しかし、「感度レベル」であるところの−７５ｄＢｍ（Ｃ／Ｎ＝２２ｄＢ程度）に対しては未だ十分余裕がある状態である。従って、例えば「制御レベル」として示したように、入力レベル−５５ｄＢｍ（余裕度２０ｄＢ）に相当するＣ／Ｎ値（２６ｄＢ）になるように制御できれば、消費電流削減（即ち、省電力化）と、受信余裕度の両方が確保できる筈であるが、現状では、このようなところまで改善が進んでいるわけではない。
【０００９】
本発明は上述のような事情に鑑みてなされたものであり、デジタルテレビジョン受像機において必須の機能部であるチューナ部の動作に関連した消費電力を低減し、省電力化を徹底したデジタルテレビジョン受像機を提供することを目的としている。
【課題を解決するための手段】
【００１０】
上記課題を解決するべく、本願では次に列記するような技術を提案する。
（１）入力された受信信号に係る選局処理を行うと共に自己に供給されたゲイン制御電圧信号に応じてゲインが可変であるチューナ部と、前記チューナ部の後段側で当該選局処理された受信信号に係る復調処理を行う復調処理部と、前記復調処理部の復調出力にエラー訂正処理を施すエラー訂正部と、を備えたデジタルテレビジョン受像機であって、前記復調処理部からＣ／Ｎ（搬送波電力対雑音電力比）を検出するＣ／Ｎ検出部と、自己に供給された所定の信号に依拠して前記チューナ部に供給する当該ゲイン制御電圧信号を形成するゲイン制御電圧信号発生部と、前記Ｃ／Ｎ検出部のＣ／Ｎ検出出力に基づいて前記ゲイン制御電圧信号発生部がゲイン制御電圧信号を形成するに依拠する前記所定の信号を生成し前記ゲイン制御電圧信号発生部に供給するコントローラと、を備えたことを特徴とするデジタルテレビジョン受像機。
【００１１】
上記（１）のデジタルテレビジョン受像機によれば、Ｃ／Ｎ検出部によって検出されるデジタルテレビ特有のＣ／Ｎ検出出力を用いてコントローラとゲイン制御電圧信号発生部とによって形成されるゲイン制御電圧信号に基づいてチューナ部のゲインが制御されるため、当該デジタルテレビジョン受像機における受信レベルを表す受信レベル検出信号に基づいてチューナ部のゲインを制御する通常のゲイン調節におけるよりも低い値にゲインを調節することが可能となり、従って、チューナ部並びにその後段の関連する回路部における動作電圧は相対的に低く抑制されることとなり、この結果、デジタルテレビジョン受像機全体としても消費電力を低減することができる。
【００１２】
（２）前記チューナ部の後段に、前記ゲイン制御電圧信号発生部によるものとは別途に前記チューナ部のゲインを調節するためのＡＧＣ部および受信レベル検出部を設け、前記受信レベル検出部は前記ＡＧＣ部から受信レベルを表す受信レベル検出信号を得て前記チューナ部に当該ゲインを調節するための信号として供給し、前記チューナ部は、前記Ｃ／Ｎ検出部のＣ／Ｎ検出出力の値が所定水準を維持しているときには前記Ｃ／Ｎ検出出力に基づいて前記ゲイン制御電圧信号発生部で形成されるゲイン制御電圧信号に基づいて自己のゲインを調節するＣ／ＮベースＡＧＣモードで動作し、前記Ｃ／Ｎ検出部のＣ／Ｎ検出出力の値が所定水準を維持していないときには前記受信レベル検出部による受信レベル検出信号に基づいて自己のゲインを調節する通常ＡＧＣモードで動作することを特徴とする（１）のデジタルテレビジョン受像機。
【００１３】
上記（２）のデジタルテレビジョン受像機によれば、（１）のデジタルテレビジョン受像機における作用において特に、チューナ部は、Ｃ／Ｎ検出部のＣ／Ｎ検出出力の値が所定水準を維持しているときには前記Ｃ／Ｎ検出出力に基づいて前記ゲイン制御電圧信号発生部で形成されるゲイン制御電圧信号に基づいてチューナ部のゲインが制御されるＣ／ＮベースＡＧＣモードで動作し、Ｃ／Ｎ検出部のＣ／Ｎ検出出力の値が所定水準を維持していないときには受信レベル検出部がＡＧＣ部から得た受信レベル検出信号に基づいてチューナ部のゲインを調節する通常ＡＧＣモードで動作するため、広範囲に受信レベルが異なる受信条件に対して適応的に機能することができる。
【００１４】
（３）前記チューナ部の後段に、前記ゲイン制御電圧信号発生部によるものとは別途に前記チューナ部のゲインを調節するためのＡＧＣ部および受信レベル検出部を設け、前記受信レベル検出部は前記ＡＧＣ部から受信レベルを表す受信レベル検出信号を得て前記チューナ部に当該ゲインを調節するための信号として供給し、前記チューナ部は、当初は前記受信レベル検出部による受信レベル検出信号に基づいて自己のゲインを調節する通常ＡＧＣモードで動作し、前記コントローラは該通常ＡＧＣモードにおける受信レベル検出信号の値を保持し、該保持した時点での前記Ｃ／Ｎ検出部のＣ／Ｎ検出出力の値が所定水準を維持しているときには、該保持された受信レベル検出信号の値に相当するゲイン制御電圧信号が出力されるように前記ゲイン制御電圧信号発生部に前記所定の信号を供給してゲイン制御電圧信号の値を調整し、該調整後、前記チューナ部は、前記Ｃ／Ｎ検出出力に基づいて前記ゲイン制御電圧信号発生部で形成されるゲイン制御電圧信号に基づいて自己のゲインを調節するＣ／ＮベースＡＧＣモードでの動作に移行することを特徴とする（１）のデジタルテレビジョン受像機。
【００１５】
上記（３）のデジタルテレビジョン受像機によれば、（１）のデジタルテレビジョン受像機における作用において特に、チューナ部は、当初は、受信レベル検出部がＡＧＣ部から得た受信レベル検出信号に基づいてチューナ部のゲインを調節する通常ＡＧＣモードで動作し、一方、コントローラは該通常ＡＧＣモードにおける受信レベル検出信号の値を保持し、該保持した時点でのＣ／Ｎ検出部のＣ／Ｎ検出出力の値が所定水準を維持しているときには、該保持された受信レベル検出信号の値に相当するゲイン制御電圧信号が出力されるようにゲイン制御電圧信号発生部に所定の信号を供給してゲイン制御電圧信号の値を調整し、該調整後、チューナ部は、Ｃ／Ｎ検出部のＣ／Ｎ検出出力に基づいて自己のゲインを調節するＣ／ＮベースＡＧＣモードでの動作に移行する。
【００１６】
このため、当初は、通常ＡＧＣモードで動作を開始して受信余裕度が相対的に大きい状態で無理なくチューナ部のゲインを調節する一方、Ｃ／Ｎ検出部のＣ／Ｎ検出出力の値が所定水準を維持しているときには、コントローラによって保持されたゲイン調節信号としての受信レベル検出信号の値にゲイン制御電圧信号発生部の出力レベルを合わせ込んでから、このゲイン制御電圧信号発生部の出力に基づくＣ／ＮベースＡＧＣモードでの動作に移行するため、Ｃ／Ｎ検出出力の値が所定水準を維持しているときには通常ＡＧＣモードにおけるよりも省電力化が計られ、且つ、通常ＡＧＣモードからＣ／ＮベースＡＧＣモードへの移行が段差を生じないで（所謂バンプレスに）円滑に行われる。
【００１７】
（４）前記チューナ部の後段に、前記ゲイン制御電圧信号発生部によるものとは別途に前記チューナ部のゲインを調節するためのＡＧＣ部および受信レベル検出部を設け、且つ、前記エラー訂正部からＢＥＲ値を検出するＢＥＲ検出部を設け、前記受信レベル検出部は前記ＡＧＣ部から受信レベルを表す受信レベル検出信号を得て前記チューナ部に当該ゲインを調節するための信号として供給し、前記チューナ部は、当初は前記受信レベル検出部による受信レベル検出信号に基づいて自己のゲインを調節する通常ＡＧＣモードで動作し、前記コントローラは該通常ＡＧＣモードにおける受信レベル検出信号の値を保持し、該保持した時点での前記ＢＥＲ検出部の検出出力であるＢＥＲ値が所定水準を維持しているときには、該保持された値に相当するゲイン制御電圧信号が出力されるように前記ゲイン制御電圧信号発生部に前記所定の信号を供給してゲイン制御電圧信号の値を調整し、該調整後、前記チューナ部は、前記Ｃ／Ｎ検出出力に基づいて前記ゲイン制御電圧信号発生部で形成されるゲイン制御電圧信号に基づいて自己のゲインを調節するＣ／ＮベースＡＧＣモードでの動作に移行することを特徴とする（１）のデジタルテレビジョン受像機。
【００１８】
上記（４）のデジタルテレビジョン受像機によれば、（１）のデジタルテレビジョン受像機における作用において特に、チューナ部は、当初は、受信レベル検出部がＡＧＣ部から得た受信レベル検出信号に基づいてチューナ部のゲインを調節する通常ＡＧＣモードで動作し、一方、コントローラは該通常ＡＧＣモードにおける受信レベル検出信号の値を保持し、該保持した時点でのＢＥＲ検出部の検出出力であるＢＥＲ値が所定水準を維持しているときには、該保持された受信レベル検出信号の値に相当するゲイン制御電圧信号が出力されるようにゲイン制御電圧信号発生部に所定の信号を供給してゲイン制御電圧信号の値を調整し、該調整後、チューナ部は、Ｃ／Ｎ検出部のＣ／Ｎ検出出力に基づいて自己のゲインを調節するＣ／ＮベースＡＧＣモードでの動作に移行する。
【００１９】
このため、当初は、通常ＡＧＣモードで動作を開始して受信余裕度が相対的に大きい状態で無理なくチューナ部のゲインを調節する一方、ＢＥＲ値が所定水準を維持しているときには、コントローラによって保持されたゲイン調節信号としての受信レベル検出信号の値にゲイン制御電圧信号発生部の出力レベルを合わせ込んでから、このゲイン制御電圧信号発生部の出力に基づいて自己のゲインを調節するＣ／ＮベースＡＧＣモードでの動作に移行するため、ＢＥＲ値が所定水準を維持しているときには通常ＡＧＣモードにおけるよりも省電力化が計られ、且つ、通常ＡＧＣモードからＣ／ＮベースＡＧＣモードへの移行が段差を生じないで（所謂バンプレスに）円滑に行われる。
【発明を実施するための最良の形態】
【００２０】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタルテレビジョン受像機の構成を表すブロック図である。図１において、受信用のアンテナ１０１がチューナ部１０２に接続され、チューナ部１０２部で所定の選局処理が行われた出力信号（ＩＦ出力）に対して一点鎖線で図示のＯＦＤＭ復調部１２０でＯＦＤＭ復調処理が施され、その復調出力としてのトランスポートストリーム（ＴＳ）が生成され出力される。
【００２１】
トランスポートストリーム（ＴＳ）が供給される図示しない映像処理部でこのトランスポートストリーム（ＴＳ）に基づいて表示に適合する信号が形成され、該形成された信号に基づいて図示しない表示器に映像が表示される。
上述のＯＦＤＭ復調部１２０は、チューナ部１０２の後段にあってこのチューナ部１０２の出力信号（ＩＦ出力）に基づいてチューナ部１０２のゲインを後述する受信レベル検出部１２４との共働によって調節するためのＡＧＣ部１２１、ＡＧＣ部１２１の後段（従って、チューナ部１０２の後段側）にあって当該選局処理された受信信号に係る復調処理を行う復調処理部１２２、復調処理部１２２の復調出力にエラー訂正処理を施すエラー訂正部１２３、ＡＧＣ部１２１から受信レベルを表す受信レベル検出信号を得てチューナ部１０２にゲインを制御するための信号ＧＣ−１として供給する受信レベル検出部１２４、復調処理部１２２からＣ／Ｎ（搬送波電力対雑音電力比）を検出するＣ／Ｎ検出部１２５、および、エラー訂正部１２３からＢＥＲ値を検出するＢＥＲ検出部１２６を含んで構成されている。
【００２２】
以上の構成の限りでも、受信レベル、従って、チューナ部１０２の出力信号（ＩＦ出力）レベルに応じて、ＡＧＣ部１２１と受信レベル検出部１２４との共働によって、チューナ部１０２のゲインに対して負帰還がかかるため、この負帰還によって、チューナ部１０２の出力信号レベルが徒に増大してしまうことが一応抑制されるため、チューナ部並びにその後段の関連する回路部における動作電圧は所定レベルを超えないように抑制されることとなり、この結果、デジタルテレビジョン受像機全体としても消費電力を或る程度低減するといった副次的効果を生じる点は、図７の一般的な家庭用のデジタルテレビジョン受像機の場合と同様である。
【００２３】
本実施の形態では、更に、自己に供給された所定の信号に依拠してチューナ部１０２に供給するゲイン制御電圧信号ＧＣ−２を形成するゲイン制御電圧信号発生部１１０と、Ｃ／Ｎ検出部１２５のＣ／Ｎ検出出力に基づいてゲイン制御電圧信号発生部１１０がゲイン制御電圧信号ＧＣ−２を形成するに依拠する所定の信号を生成しゲイン制御電圧信号発生部１１０に供給するコントローラ１３０と、ユーザによる操作を受付けてコントローラ１３０に伝達する操作部１４０とを備えている。
【００２４】
図２は、図１中のチューナ部１０２におけるゲイン制御電圧信号とチューナゲインとの関係を表す特性図である。この特性は、上述のゲインを制御するための信号ＧＣ−１対チューナゲインにおける場合と、ゲイン制御電圧信号ＧＣ−２対チューナゲインにおける場合とでは、相似的な特性を呈する。また、信号ＧＣ−１やＧＣ−２は電圧信号であるが、電流信号に応動するようにチューナ部１０２を構成することもでき、後者の場合も、同様の特性を呈する。
【００２５】
図２より容易に理解される通り、ゲインを制御するための信号ＧＣ−１（ＧＣ−２）の値が所定範囲にある領域（動作範囲）でチューナゲインの調節が行われる。
ＡＧＣ受信レベル検出（受信レベル検出部１２４による受信レベル検出）においては、受信レベルに比例したＤＣ電圧を、ゲイン調節のためのＡＧＣ電圧として直接チューナ部１０２にフィードバックする一方、受信レベル検出部１２４内部のＡ／Ｄ変換器で数値化して内部のレジスタに保持（およびコントローラ１２０に一時記憶）する。この数値として、例えば０〜１００、５０〜１５０が受信時の信号レベル（受信のダイナミックレンジ）として検出される。
【００２６】
受信レベル検出部１２４はまた、所定の検出値（デジタル化された受信レベル相当値）、或いは、制御値が与えられた場合、その制御値に相当するＤＣ電圧（ＡＧＣ電圧）を発生する。即ち、制御値（Ａ／Ｄ変換器で数値化された入力値）が例えば０〜１００のうちのいずれかに定められると、内部のＤ／Ａコンバータによって、これに相当するＡＧＣ電圧を発生（出力）する。
図３は、図１中の受信レベル検出部１２４におけるデジタル化された受信レベル相当値（入力Ａ／Ｄ変換値）に対する出力ＡＧＣ電圧の特性を表す図である。
【００２７】
一方、本実施の形態では、Ｃ／Ｎ検出部１２５で検出したＣ／Ｎ検出出力も内部のＡ／Ｄ変換器で数値化して内部のレジスタに保持（およびコントローラ１２０に一時記憶）する。該保持されたデジタルデータはコントローラ１３０を介してゲイン制御電圧信号発生部１１０に供給される。既述の通り、ゲイン制御電圧信号発生部１１０は、コントローラ１３０から受けた所定の信号に応じてゲイン制御電圧信号ＧＣ−２を形成する。このとき、ゲイン制御電圧信号発生部１１０に供給されるデジタルデータ（入力Ａ／Ｄ変換値）に対するゲイン制御電圧信号ＧＣ−２（出力Ｃ／Ｎ制御電圧）の関係が、図３を参照して説明した、受信レベル検出部１２４に関する入力Ａ／Ｄ変換値に対する出力ＡＧＣ電圧の特性に等しくなるようにゲイン制御電圧信号発生部１１０の特性が設定されている。
【００２８】
従って、チューナ部１０２に供給するゲイン調節のためのＡＧＣ電圧（即ち、既述の信号ＧＣ−１）を、後述するような条件を充足するときに適切なタイミングで、ゲイン制御電圧信号発生部１１０の出力である上述のＣ／Ｎ制御電圧（即ち、既述の信号ＧＣ−２）に切換えると、これ以降、Ｃ／Ｎ検出部１２５のＣ／Ｎ検出出力に基づくゲイン制御電圧信号発生部１１０の出力であるゲイン制御電圧信号ＧＣ−２に基づいて適切なゲイン調節が行われるようになる。Ｃ／Ｎ検出出力に基づくチューナ部１０２におけるゲイン調節の動作モードを、以下に、適宜、Ｃ／ＮベースＡＧＣモードと言う。また、受信レベル検出部１２４がＡＧＣ部１２１から得た受信レベル検出信号に基づいてチューナ部１０２のゲインを調節する動作モードを、以下に、適宜、通常ＡＧＣモードと言う。
【００２９】
図４は、図１のデジタルテレビジョン受像機（そのコントローラ１３０）の動作を表すフローチャートである。尚、このフローチャートにおける前提として、受信開始の当初は従来の一般的なデジタルテレビジョン受像機におけると同様に、通常ＡＧＣモードで動作するが、この部分については「受信開始」とのみ表記してある。
受信開始すると（ステップＳ４０１）、Ｃ／Ｎ検出部１２５が復調処理部１２２から検出したＣ／Ｎ値を読込み保持する（ステップＳ４０２）。次いで、ステップＳ４０２で読込んだＣ／Ｎ値が当該Ｃ／Ｎ値に基づいてチューナ部１０２におけるゲイン調節を行うに適合し得るレベルである２６ｄＢ以上であるか否かを判断する（ステップＳ４０３）。
【００３０】
ステップＳ４０３で当該Ｃ／Ｎ値が２６ｄＢ以上であると判定されたときには（ステップＳ４０３：Ｙｅｓ）、その時点で、受信レベル検出部１２４で検出される受信レベル検出値を読込んで保持する（ステップＳ４０４）。次いで、該保持された受信レベル検出信号の値に相当するゲイン制御電圧信号ＧＣ−２が出力されるようにゲイン制御電圧信号発生部１１０に所定の信号を供給してゲイン制御電圧信号ＧＣ−２の値を調整し、該調整後、チューナ部１０２に対して供給していた通常ＡＧＣモードにおけるゲインを制御するための信号ＧＣ−１に替えてゲイン制御電圧信号ＧＣ−２を供給するように切換える（ステップＳ４０５）。
【００３１】
ステップＳ４０５でチューナ部１０２に対して供給されていたゲインを制御するための信号ＧＣ−１がＧＣ−２に切換えられた状態で、Ｃ／Ｎ値が当該Ｃ／Ｎ値に基づいてチューナ部１０２におけるゲイン調節を行うに適合し得るレベルである２６ｄＢ以上であるか否かを判断する（ステップＳ４０６）。ステップＳ４０６で、Ｃ／Ｎ値が２６ｄＢ以上であると判定されたときには（ステップＳ４０６：Ｙｅｓ）、これ以降Ｃ／ＮベースＡＧＣモードで動作し（ステップＳ４０７）、適宜のサンプリングレートでステップＳ４０６の判断を実行する。
【００３２】
ステップＳ４０３で、当該Ｃ／Ｎ値が２６ｄＢ未満であると判定されたときには（ステップＳ４０３：Ｎｏ）、次いで、当該Ｃ／Ｎ値は通常ＡＧＣモードによるゲイン制御には適合する２２ｄＢ以上あるか否かが判定される（ステップＳ４０８）。ステップＳ４０８で当該Ｃ／Ｎ値が２２ｄＢ以上であると判定されたときには（ステップＳ４０８：Ｙｅｓ）、これ以降通常ＡＧＣモードで作動する（ステップＳ４０９）。
【００３３】
一方、ステップＳ４０８で、当該Ｃ／Ｎ値が２２ｄＢ未満であると判定されたときには（ステップＳ４０８：Ｎｏ）、警告表示を行う（ステップＳ４１０）。入力信号レベル不足によるＣ／Ｎ劣化状態のときこの状態となる。
また、ステップＳ４０６で当該Ｃ／Ｎ値が２６ｄＢ未満であると判定されたときには（ステップＳ４０６：Ｎｏ）、次いで、当該Ｃ／Ｎ値は２２ｄＢ以上あるか否かが判定される（ステップＳ４１１）。ステップＳ４１１で当該Ｃ／Ｎ値が２２ｄＢ以上であると判定されたときには（ステップＳ４１１：Ｙｅｓ）、これ以降ＧＣ−２として印加される電圧レベルを保持し、受信状態を保持する（ステップＳ４１２）。
【００３４】
一方、ステップＳ４１１で、当該Ｃ／Ｎ値が２２ｄＢ未満であると判定されたときには（ステップＳ４１１：Ｎｏ）、ステップＳ４０５に戻る。Ｃ／Ｎの検出精度が、１ｄＢ以下とすれば、２６ｄＢに対し少なくとも３ｄＢの余裕があるため問題なくステップＳ４１２へと移行することが出来る。
以上、図４を参照して説明した実施の形態では、Ｃ／Ｎ検出部１２５によって検出されるデジタルテレビ特有のＣ／Ｎ検出出力を用いてコントローラ１３０とゲイン制御電圧信号発生部１１０とによって形成されるゲイン制御電圧信号ＧＣ−２に基づいてチューナ部１０２のゲインが制御されるため（Ｃ／ＮベースＡＧＣモード）、当該デジタルテレビジョン受像機における受信レベルを表す受信レベル検出信号に基づいてチューナ部１０２のゲインを制御する通常のゲイン調節（通常ＡＧＣモード）におけるよりも低い値にゲインを調節することが可能となり、従って、チューナ部１０２並びにその後段の関連する回路部における動作電圧は相対的に低く抑制されることとなり、この結果、デジタルテレビジョン受像機全体としても消費電力を低減することができる。
【００３５】
また、チューナ部１０２は、コントローラ１３０の制御下で、Ｃ／Ｎ検出部１２５によるＣ／Ｎ検出出力の値が所定水準を維持しているか否かに応じて、所定水準を維持しているときにはＣ／ＮベースＡＧＣモードで動作し、所定水準を維持していないときには通常ＡＧＣモードで動作するため、広範囲に受信レベルが異なる受信条件に対して適応的に機能することができる。
【００３６】
更に、チューナ部１０２は、当初は、通常ＡＧＣモードで動作し、このとき、コントローラ１３０は通常ＡＧＣモードにおける受信レベル検出信号（受信レベル検出部１２４）の値を保持し、該保持した時点でのＣ／Ｎ検出部１２５のＣ／Ｎ検出出力の値が所定水準を維持しているときには、該保持された受信レベル検出信号の値に相当するゲイン制御電圧信号ＧＣ−２が出力されるようにゲイン制御電圧信号発生部１１０に所定の信号を供給してゲイン制御電圧信号の値を調整し、該調整後、チューナ部１０２は、Ｃ／ＮベースＡＧＣモードでの動作に移行する。
【００３７】
このため、当初は、通常ＡＧＣモードで動作を開始して受信余裕度が相対的に大きい状態で無理なくチューナ部のゲインを調節する一方、Ｃ／Ｎ検出部１２５のＣ／Ｎ検出出力の値が所定水準を維持しているときには、コントローラ１３０によって保持されたゲイン調節信号としての受信レベル検出信号ＧＣ−１の値にゲイン制御電圧信号発生部の出力であるゲイン制御電圧信号ＧＣ−２のレベルを合わせ込んでから、この信号ＧＣ−２に基づくＣ／ＮベースＡＧＣモードでの動作に移行するため、Ｃ／Ｎ検出出力の値が所定水準を維持しているときには通常ＡＧＣモードにおけるよりも省電力化が計られ、且つ、通常ＡＧＣモードからＣ／ＮベースＡＧＣモードへの移行が段差を生じないで（所謂バンプレスに）円滑に行われる。
【００３８】
以上、図１の構成を有し、図４のフローチャートの如く作動する実施の形態について説明したが、次に、この変形例について図５のフローチャートを用いて説明する。
図５は、図４の実施の形態の変形例の動作を表すフローチャートである。図４の例では、そのブロック図上での構成は図１と変わらないため、構成との関連についての説明においては図１をそのまま援用する。また、この図５のフローチャートにおいても、受信開始の当初は従来の一般的なデジタルテレビジョン受像機におけると同様に、通常ＡＧＣモードで動作するが、この部分については「受信開始」とのみ表記してある。
【００３９】
受信開始すると（ステップＳ５０１）、受信レベル検出部１２４がＡＧＣ部１２１から検出した受信レベル検出値を読込み、保持する（ステップＳ５０２）。次いで、該保持された受信レベル検出信号の値に相当するゲイン制御電圧信号ＧＣ−２が出力されるようにゲイン制御電圧信号発生部１１０に所定の信号を供給してゲイン制御電圧信号ＧＣ−２の値を調整し、該調整後、チューナ部１０２に対して供給していた通常ＡＧＣモードにおけるゲインを制御するための信号ＧＣ−１に替えてゲイン制御電圧信号ＧＣ−２を供給するように切換える（ステップＳ５０４）。
【００４０】
ステップＳ５０４でチューナ部１０２に対して供給されていたゲインを制御するための信号ＧＣ−１がＧＣ−２に切換えられた状態で、Ｃ／Ｎ値が当該Ｃ／Ｎ値に基づいてチューナ部１０２におけるゲイン調節を行うに適合し得るレベルである２６ｄＢ以上であるか否かを判断する（ステップＳ５０５）。ステップＳ５０５で、Ｃ／Ｎ値が２６ｄＢ以上であると判定されたときには（ステップＳ５０５：Ｙｅｓ）、これ以降Ｃ／ＮベースＡＧＣモードで動作し（ステップＳ５０６）、適宜のサンプリングレートでステップＳ５０５の判断を実行する。
【００４１】
一方、ステップＳ５０５で、当該Ｃ／Ｎ値が２６ｄＢ未満であると判定されたときには（ステップＳ５０５：Ｎｏ）、次いで、当該Ｃ／Ｎ値は通常ＡＧＣモードによるゲイン制御には適合する２２ｄＢ以上あるか否かが判定される（ステップＳ５０７）。ステップＳ５０７で当該Ｃ／Ｎ値が２２ｄＢ以上であると判定されたときには（ステップＳ５０７：Ｙｅｓ）、これ以降ＧＣ−２として印加される電圧レベルを保持し、受信状態を保持する（ステップＳ５０８）
また、ステップＳ５０７で、当該Ｃ／Ｎ値が２２ｄＢ未満であると判定されたときには（ステップＳ５０７：Ｎｏ）、警告表示を行う（ステップＳ５０９）。入力信号レベル不足によるＣ／Ｎ劣化状態のときこの状態となる。
【００４２】
図５の例では、図４におけるステップＳ４０３のように、受信開始後（既述の通り、このときは通常ＡＧＣモードで作動）、Ｃ／Ｎ値をチェックしてゲイン調整動作のモード切替の可否を判断するような処理を経ず、簡易な処理に基づいて、その状態での受信レベルに依拠して直ちにＣ／ＮベースＡＧＣモードに移行するか否かを判断する。
また、当初は、通常ＡＧＣモードで動作を開始して受信余裕度が相対的に大きい状態で無理なくチューナ部のゲインを調節する一方、Ｃ／Ｎ検出部のＣ／Ｎ検出出力の値が所定水準を維持しているときには、コントローラによって保持されたゲイン調節信号としての受信レベル検出信号の値にゲイン制御電圧信号発生部の出力レベルを合わせ込んでから、このゲイン制御電圧信号発生部の出力に基づくＣ／ＮベースＡＧＣモードでの動作に移行するため、Ｃ／Ｎ検出出力の値が所定水準を維持しているときには通常ＡＧＣモードにおけるよりも省電力化が計られる。
【００４３】
図１において、破線で図示されたＢＥＲ値を表す信号の使途については説明していなかったが、以下に、この、エラー訂正部１２３からＢＥＲ検出部１２６が検出する信号をチューナ１０２におけるゲイン調整に供する他の実施の形態について説明する。尚、この実施の形態においても、破線図示の箇所以外については図１について既に説明したところと変わりが無いため、これらの部分については、適宜説明を省略する。
【００４４】
図６は、他の実施の形態としてのデジタルテレビジョン受像機（そのコントローラ１３０）の動作を表すフローチャートである。尚、このフローチャートにおける前提として、受信開始の当初は従来の一般的なデジタルテレビジョン受像機におけると同様に、通常ＡＧＣモードで動作するが、この部分については「受信開始」とのみ表記してある。
受信開始すると（ステップＳ６０１）、受信レベル検出部１２４がＡＧＣ部１２１から検出した受信レベル検出値を読込み、保持する（ステップＳ６０２）。次いで、該保持された受信レベル検出信号の値に相当するゲイン制御電圧信号ＧＣ−２が出力されるようにゲイン制御電圧信号発生部１１０に所定の信号を供給してゲイン制御電圧信号ＧＣ−２の値を調整し、該調整後、チューナ部１０２に対して供給していた通常ＡＧＣモードにおけるゲインを制御するための信号ＧＣ−１に替えてゲイン制御電圧信号ＧＣ−２を供給するように切換える（ステップＳ６０４）。
【００４５】
ステップＳ６０４でチューナ部１０２に対して供給されていたゲインを制御するための信号ＧＣ−１がＧＣ−２に切換えられた状態で、ＢＥＲ値が既述のＣ／ＮベースＡＧＣモードが適正に実行され得るレベルである０．００１未満であるか否かを判断する（ステップＳ６０５）。ステップＳ６０５で、ＢＥＲ値が０．００１未満であると判定されたときには（ステップＳ６０５：Ｙｅｓ）、これ以降Ｃ／ＮベースＡＧＣモードで動作し（ステップＳ６０６）、適宜のサンプリングレートでステップＳ６０５の判断を実行する。
【００４６】
一方、ステップＳ６０５で、ＢＥＲ値が０．００１以上であると判定されたときには（ステップＳ６０５：Ｎｏ）、次いで、その時点でのＣ／Ｎ値を検出し（ステップＳ６０７）、更に、その値を保持する（ステップＳ６０８）。
図６の実施の形態では、当初は、受信レベル検出部１２４がＡＧＣ部１２１から得た受信レベル検出信号に基づいてチューナ部１０２のゲインを調節する通常ＡＧＣモードで動作し、一方、コントローラ１３０は該通常ＡＧＣモードにおける受信レベル検出信号の値を保持し、該保持した時点でのＢＥＲ検出部１２６の検出出力であるＢＥＲ値が所定水準を維持しているときには、該保持された受信レベル検出信号の値に相当するゲイン制御電圧信号が出力されるようにゲイン制御電圧信号発生部１１０に所定の信号を供給してゲイン制御電圧信号の値を調整し、該調整後、チューナ部１０２は、Ｃ／Ｎ検出部１２５のＣ／Ｎ検出出力に基づいて自己のゲインを調節する上述同様のＣ／ＮベースＡＧＣモードでの動作に移行する。
【００４７】
このため、当初は、通常ＡＧＣモードで動作を開始して受信余裕度が相対的に大きい状態で無理なくチューナ部１０２のゲインを調節する一方、ＢＥＲ値が所定水準を維持しているときには、コントローラ１３０によって保持されたゲイン調節信号としての受信レベル検出信号の値にゲイン制御電圧信号発生部１１０の出力レベルを合わせ込んでから、このゲイン制御電圧信号発生部１１０の出力に基づくＣ／ＮベースＡＧＣモードでの動作に移行するため、ＢＥＲ値が所定水準を維持しているときには通常ＡＧＣモードにおけるよりも省電力化が計られ、且つ、通常ＡＧＣモードからＣ／ＮベースＡＧＣモードへの移行が段差を生じないで（所謂バンプレスに）円滑に行われる。
【図面の簡単な説明】
【００４８】
【図１】本発明の実施の形態としてのデジタルテレビジョン受像機の構成を表すブロック図である。
【図２】図１中のチューナ部におけるゲイン制御電圧信号とチューナゲインとの関係を表す特性図である。
【図３】図１中の受信レベル検出部におけるデジタル化された受信レベル相当値（入力Ａ／Ｄ変換値）に対する出力ＡＧＣ電圧の特性を表す図である。
【図４】図１のデジタルテレビジョン受像機（そのコントローラ）の動作を表すフローチャートである。
【図５】図４の実施の形態の変形例の動作を表すフローチャートである。
【図６】他の実施の形態としてのデジタルテレビジョン受像機（そのコントローラ）の動作を表すフローチャートである。
【図７】ＡＧＣ部を備えた一般的な家庭用のデジタルテレビジョン受像機の構成を表すブロック図である。
【図８】図７のデジタルテレビジョン受像機における入力レベルとＣ／Ｎとの関係を表す特性図である。
【符号の説明】
【００４９】
１０１…アンテナ  １０２…チューナ部    １１０…ゲイン制御電圧信号発生部  １２０…ＯＦＤＭ復調部  １２１…ＡＧＣ部  １２２…復調処理部  １２３…エラー訂正部  １２４…受信レベル検出部  １２５…Ｃ／Ｎ検出部  １２６…ＢＥＲ検出部    １３０…コントローラ  １４０…操作部
【図１】
2007104164.tif 000003
【図２】
2007104164.tif 000004
【図３】
2007104164.tif 000005
【図４】
2007104164.tif 000006
【図５】
2007104164.tif 000007
【図６】
2007104164.tif 000008
【図７】
2007104164.tif 000009
【図８】
2007104164.tif 000010